(57)【要約】  【課題】簡易に構成できて間仕切りの基本構成それ自体が目隠し以外の機能を備え併せた新規有用な間仕切りを提供する。  【解決手段】シート材１の少なくとも一部を所定方向に沿って凹凸１１が連続する形状をなすように、かつ隣接する凸部１２同士が互いに接触するように、折り曲げた状態に保持してなることとした。  【選択図】図１
2006037418.tif 000002
【特許請求の範囲】
【請求項１】
シート材の少なくとも一部を所定方向に沿って凹凸が連続する形状をなすように、かつ隣接する凸部同士が互いに接触するように、折り曲げた状態に保持してなることを特徴とする間仕切り。
【請求項２】
シート材を、一方の壁面に凹凸が連続して現われ、他方の壁面に前記凹凸と位相の反転した凹凸が連続して現われるように、折り曲げた状態に保持してなる請求項１記載の間仕切り。
【請求項３】
凹凸が波状をなすものである請求項１又は２記載の間仕切り。
【請求項４】
所定方向に沿ってシート材の凹凸の境界部分を貫通する貫通孔を設けている請求項１〜３記載の間仕切り。
【請求項５】
所定方向に沿って配置されてシート材の折り曲げた状態を保持する保持手段を備えている請求項１〜４記載の間仕切り。
【請求項６】
保持手段が、シート材の所定方向に沿った一端部から他端部までの距離を可変とする機能を備えたものである請求項５記載の間仕切り。
【請求項７】
シート材を保持手段を介して吊り下げた状態に保持してなる請求項５又は６記載の間仕切り。
【請求項８】
シート材が鉛直方向に沿って凹凸を連続させるものである請求項７記載の間仕切り。
【請求項９】
シート材が水平方向に沿って凹凸を連続させるものである請求項７記載の間仕切り。
【請求項１０】
シート材がそれ自身の保形性によって自立することにより当該シート材の折り曲げた状態を保持してなる請求項１〜４記載の間仕切り。
【請求項１１】
シート材が水平方向に沿って凹凸を連続させるものである請求項１０記載の間仕切り。
【請求項１２】
シート材を弾性体から構成して、弾性変形可能な範囲で折り曲げた状態に保持してなる請求項１〜１１記載の間仕切り。
【請求項１３】
シート材を紙製のものとして、座屈しない範囲で折り曲げた状態に保持してなる請求項１〜１１記載の間仕切り。
【請求項１４】
シート材が布製のものである請求項１〜１１記載の間仕切り。
【請求項１５】
シート材の少なくとも一部を鉛直方向に沿って凹凸が連続する形状をなすように、かつ隣接する凸部同士が互いに近接するように、折り曲げた状態に保持してなる間仕切りであって、鉛直方向に沿って配置されてシート材の折り曲げた状態を保持する保持手段を備え、その状態で凸部間に物品を挟み込めるようにしていることを特徴とする間仕切り。
【請求項１６】
シート材の少なくとも一部を水平方向に沿って凹凸が連続する形状をなすように、かつ隣接する凸部同士が互いに近接するように、折り曲げた状態に保持してなる間仕切りであって、水平方向に沿って配置されてシート材の折り曲げた状態を保持する保持手段を備え、その状態で凸部間に物品を挟み込めるようにしていることを特徴とする間仕切り。
【発明の詳細な説明】
【技術分野】
【０００１】
本発明は、簡易に構成できて従来にない新しい機能を備え併せた新規有用な間仕切りに関するものである。
【背景技術】
【０００２】
この種の間仕切りは、例えば特許文献１に示すように、支柱の両側にパネルを取り付けて自立性のある構造体として構成されるのが一般的であり、パネルにはスチールや木等の素材からなる面材が用いられている。このような間仕切りをワークスペースに配置して、パネル周辺に写真や葉書、書類等を収納したい場合には、例えば支柱に開口するフック孔にブラケット等のオプション取付金具を係止させ、そのブラケットに棚やトレーその他のオプション部材を取り付けるようにしているのが通例である。
【０００３】
また、ワークスペースには種々の配線類が引き回されるため、パネルに配線収納機能を付与したものも知られている。例えば特許文献２に示すものは、パネルが複数分割されていて、支柱及び横架材から構成されるフレームに着脱可能とされており、適宜必要なパネルを取り外して配線を収納することができるようにしている。
【特許文献１】特開２０００−２８２６０５号公報
【特許文献２】特開２００３−１７４９４０号公報
【発明の開示】
【発明が解決しようとする課題】
【０００４】
ところが、何れの間仕切りも、構造が複雑で全体的に重厚であるため、コスト高とならざるを得ず、運搬や施工にも不利不便があり、配線の挿脱やオプションの併用等も手軽に行なうことができないという難点がある。
【０００５】
本発明は、このような課題に着目してなされたものであって、簡易に構成できて間仕切りの基本構成それ自体に目隠し以外の有用な機能を付与した新規有用な間仕切りを提供することを目的としている。
【課題を解決するための手段】
【０００６】
本発明は、上記の目的を達成するために、次のような手段を講じたものである。
【０００７】
すなわち、本発明の間仕切りは、シート材の少なくとも一部を所定方向に沿って凹凸が連続する形状をなすように、つまり凹部が所定方向と直交する溝状をなすように、かつ隣接する凸部同士が互いに接触するように、折り曲げた状態に保持してなることを特徴とする。
【０００８】
このようなものであると、シート材が薄手のものであっても間仕切りに見掛け上ある程度の厚みを付与することができ、間仕切りとしての質感や安定感を有効に担保することができる。しかも、間仕切りの壁面を形成する各々の襞状をなす凸部間に薄手の物品を挟み込むことで、凸部同士の接触を利用して当該物品をその位置に有効に保持することができる。この観点からすれば、凸部同士はシート材の弾性力によって弾接していることが望ましい。その上、各凸部の奥方に位置する凹部が袋状に閉じた溝状態となるので、この凹部を配線類を見栄え良く収納し間仕切りの美観も損なうことのない配線収納空間等として有効に活用することが可能となる。
【０００９】
壁面の両側を有効活用するためには、シート材を、一方の壁面に凹凸が連続して現われ、他方の壁面に前記凹凸と位相の反転した凹凸が連続して現われるように、折り曲げた状態に保持することが望ましい。
【００１０】
凸部間に物品を差し込み易くするためには、凹凸を波状のものにしておくことが望ましい。
【００１１】
配線の引き回しに便ならしめるためには、所定方向に沿ってシート材の凹凸の境界部分を貫通する貫通孔を設けておくことが有効となる。
【００１２】
凸部同士の接触状態を確実に維持するためには、所定方向に沿って配置されてシート材の折り曲げた状態を保持する保持手段を備えていることが望ましい。
【００１３】
保持手段を利用して間仕切りの使い勝手を調整可能とするためには、当該保持手段が、シート材の所定方向に沿った一端部から他端部までの距離を可変とする機能を備えていることが好ましい。
【００１４】
前記保持手段は、シート材を吊り下げた状態に保持するものであることが特に有効である。
【００１５】
この場合シート材は、使用目的、用途に応じて、鉛直方向に沿って凹凸を連続させる態様、水平方向に沿って凹凸を連続させる態様の何れも採用することができる。
【００１６】
より簡易な構成としては、シート材がそれ自身の保形性によって自立することにより当該シート材の折り曲げた状態を保持するものが挙げられる。
【００１７】
この場合、自立性との兼ねあいからすると、シート材は水平方向に沿って凹凸を連続させるものであることが望ましい。
【００１８】
シート材は、樹脂等の弾性体を弾性変形可能な範囲で折り曲げた状態に保持して用いることができ、また、紙製のものを座屈しない範囲で折り曲げた状態に保持して用いることもできる。勿論、布製のシート材を用いることも可能である。
【００１９】
さらに、本発明は上記構成に準じて次のようなものを採用することもできる。
【００２０】
シート材の少なくとも一部を鉛直方向に沿って凹凸が連続する形状をなすように、かつ隣接する凸部同士が互いに近接するように、折り曲げた状態に保持してなる間仕切りであって、鉛直方向に沿って配置されてシート材の折り曲げた状態を保持する保持手段を備え、その状態で凸部間に物品を挟み込めるようにしているもの。
【００２１】
或いは、シート材の少なくとも一部を水平方向に沿って凹凸が連続する形状をなすように、かつ隣接する凸部同士が互いに近接するように、折り曲げた状態に保持してなる間仕切りであって、水平方向に沿って配置されてシート材の折り曲げた状態を保持する保持手段を備え、その状態で凸部間に物品を挟み込めるようにしているもの。
【発明の効果】
【００２２】
本発明は、以上のような構成であるから、簡易に構成できて間仕切りとしての機能を適正に発揮し、しかも葉書等の比較的薄手の物品であればトレー等を用いずともこれを有効に保持することができ、さらに間仕切りそれ自体の構造の一部を使い勝手がよく美観も損なわない多段の配線収納空間として有効利用できるようにした新規有用な間仕切りを提供することが可能となる。
【発明を実施するための最良の形態】
【００２３】
以下、本発明の一実施形態を、図面を参照して説明する。
【００２４】
図１〜図５に示す本実施形態の間仕切りＭは、シート材１を鉛直方向に沿って凹凸１１が連続する形状をなすように、かつ隣接する凸部１２同士が互いに側部１５において接触するように、折り曲げた状態に保持してなるものである。
【００２５】
具体的に説明すると、シート材１はポリプロピレン等の樹脂その他の弾性を有する素材からなるもので、図２のようにこのシート材１を、前方若しくは後方の一方に凹凸１１ａが連続して現われ、他方に前記凹凸１１ａと位相の反転した凹凸１１ｂが連続して現われるように、千鳥状に多数回折り返している。そして、その折り曲げた状態を保持手段２によって保持している。
【００２６】
保持手段２は、左右一対のベース２１と、これらのベース２１から起立する支柱２２と、両支柱２２の上端部間に架設される吊り板２３とを具備するもので、支柱２２がシート材１の凹凸１１の連続する鉛直方向に沿って当該シート材１の各凸１２部から凹部１３に至るＳ字状の領域の凹凸境界部分１４（図２参照）を貫通した状態で、シート材１全体を吊り下げた状態に保持している。また、左右の支柱２２の間にも、シート材１の凹凸１１の連続する鉛直方向に沿って中間支柱２４を貫通させ、下端側を図示しない適宜の当て板等で支持し、上端側を前記吊り板２３に接続している。凹凸１１の形状保持は、貫通部１６におけるシート材１と支柱２２又はシート材１と中間支柱２４との摩擦を利用する等してもよい。
【００２７】
ベース２１から吊り板２３までの距離と、その間のシート材１の折り返し数とは、前述したように隣接する凸部１２同士が互いに側部１５において弾性により密接に接触する関係が維持される値に設定される。
【００２８】
シート材１が弾性変形可能な範囲で折り曲げられる結果、各凸部１２は前方或いは後方に波状に膨出する形状をなし、各凹部１３は隣接する凸部１２間の奥方に位置して袋状に閉じた溝状をなす。溝の方向は水平方向である。シート材１には予めある程度の凹凸形状を付与しておいてもよい。
【００２９】
このようにしてなるシート材１は、言うまでもなく、図２に示すように前方又は後方の凸部１２ｆ、１２ｒと、後方又は前方の凹部１３ｒ、１３ｆとが、シート材１の表裏に位置する関係をなす。前方の凸１２ｆ部と後方の凸部１２ｒ、前方の凹部１３ｆと後方の凹部１３ｒは、互いに位相がずれており、前方に突出する凸部１２ｆ間に図８に示すように葉書、写真、書類その他の薄肉な物品を差し込むと、側部１５の接触部分が押し開かれる結果、その奥方に位置する凹部１３ｆが前方に開いて差し込んだ部分を収容し、その状態を凸部１２ｆ、１２ｆ間の前記側部１５部分で保持することができる。また、後方に突出する凸部１２ｒ間に葉書、写真、書類その他の薄肉な物品を差し込むと、側部１５の接触部分が押し開かれる結果、その奥方に位置する凹部１３ｒが後方に開いて差し込んだ部分を収容し、その状態を凸部１２ｒ、１２ｒ間の前記側部１５部分で保持することができる。
【００３０】
さらに、前記支柱２２と干渉しない位置において、シート材１の幅方向適宜箇所、具体的にこの実施形態では左右側縁１７ａ、１７ｂの近傍の２箇所と、その間を３分割する２箇所とに、各凸部１２から凹部１３に至るＳ字状の領域の境界部分１４を貫通する貫通孔１８が設けてある。この貫通孔１８は、図２等により明らかなように、前方に開口可能な各段の凹部１３ｆ及び後方に開口可能な各段の凹部１３ｒの何れにも連通しており、配線を何れの凹部１３ｆ、１３ｒに引き込むことも可能なものである。
【００３１】
因みに、この実施形態の間仕切りＭは、幅１２００ｍｍ、高さ１１００ｍｍ、厚み１４０ｍｍの大きさのものである。
【００３２】
図６〜図９は、この実施形態の間仕切りＭを、葉書Ｂ１等の物品Ｂを差し込んで保持するホルダとして活用し、かつワークスペースＷに配置したパーソナルコンピュータＯＡ１及び周辺機器ＯＡ２の配線ＯＡ３をすっきり整理するためのパーティションとして活用した例を示すものである。
【００３３】
先ず、図８に示すように、水平方向に溝状をなす各段の凹部１３の適宜部位に法線方向から薄肉な物品Ｂを差し込めば、これを凸部１２と凸部１２の間に弾性的に保持することができ、葉書Ｂ１、写真Ｂ２、書類Ｂ３その他の物品Ｂのホルダとして有効に活用することが可能となる。
【００３４】
一方、図７に示すように、パーソナルコンピュータＯＡ１を始めとする各種ＯＡ機器の配線ＯＡ３を適宜部位から法線方向に沿って前記凹部１３に引き込み、引き込んだ配線ＯＡ３を凹部１３に沿って、或いは貫通孔１８に沿って内部で引き回した後、適宜部位から再び法線方向に沿って前方に引き出すことができる。すなわち、この凹部１３を配線収納空間１９として有効に活用することができる。また、配線収納空間１９は側縁１７ａ、１７ｂに開放されているため、同図に示すように、配線ＯＡ３を当該側縁１７ａ、１７ｂから引き込み、貫通孔１８を介して適宜の段の配線収納空間１９に引き回した後、再び側縁１７ａ、１７ｂから外部に引き出すこともできる。さらに、図示しないが、この間仕切りＭを側縁１７ａ、１７ｂ同士を突き合わせて配線収納空間１９を連続させた場合には、間仕切りＭの境界を越えて隣接する間仕切りＭ内に配線ＯＡ３を引き込むこともできる。さらにまた、図９に示すように、間仕切りＭを介して一対のデスクＤを対面配置した場合には、間仕切りＭの表裏何れの側からでも相互に干渉することなく、配線収納空間１９を間仕切りＭの厚み寸法内で十分に活用して配線ＯＡ３を収容することが可能となる。
【００３５】
以上説明したように、本実施形態の間仕切りＭは、シート材１を所定方向に沿って凹凸１１が連続する形状をなすように、かつ隣接する凸部１２同士が互いに接触するように、折り曲げた状態に保持したものである。
【００３６】
このようなものであると、シート材１が薄手のものであっても間仕切りＭに見掛け上ある程度の厚みを付与することができ、間仕切りとしての質感や安定感を有効に担保することができる。しかも、図８に示すような間仕切りＭの壁面Ｍ１を形成する各々の襞状をなす凸部１２間に薄手の物品Ｂ（例えば葉書Ｂ１や写真Ｂ２、書類Ｂ３等）を挟み込むことで、凸部１２同士の接触を利用して当該物品Ｂをその位置に有効に保持することができるので、ブラケットやオプション部材等を使用することなく、間仕切りＭをこれらのホルダとして有効に活用することができる。その上、各凸１２部の奥方に位置する凹部１３が袋状に閉じた溝状をなすので、多くの部品点数を擁して内部に配線収納構造を実現せずとも、この凹部１３を間仕切りＭの美観を損なうことなくそのまま配線収納空間１９等として有効に活用することが可能となる。
【００３７】
また、シート材１を、一方の壁面Ｍ１ａに凹凸１１ａが連続して現われ、他方の壁面Ｍ１ｂに前記凹凸１１ａと位相の反転した凹凸１１ｂが連続して現われるように（図２等参照）、折り曲げた状態に保持しているため、例えば、図９のようなデスクＤを対面配置したような場合に、壁面Ｍ１ａ、Ｍ１ｂの前後何れの側においても互いに干渉することなく物品Ｂの保持や配線ＯＡ３の収納を行うことが可能となる。
【００３８】
特に、上記凹凸１１（１１ａ、１１ｂ）は波状の滑らかな曲線を描くものであり、凸部１２同士の接触部分よりも先端側に滑らかに拡開する隙間が得られるので、当該凸部１２間に物品Ｂを差し込み易くなり、良好な使い勝手を得ることができるほか、シート材１の折り曲げも自然な状態で行うことが可能となる。
【００３９】
さらに、この実施形態の間仕切りＭは、シート材１の凹凸１１の境界部分１４を貫通する貫通孔１８を設けているので、貫通孔１８を介して配線ＯＡ３を所望の凹部１３に導き、当該凹部１３において所定方向と直交する方向に配線ＯＡ３を有効に引き回すことができる。したがって、図６に示すように、ワークスペースＷにおける配線処理を効果的に行うことが可能となる。
【００４０】
また、この実施形態は、鉛直方向に沿って配置されてシート材１の折り曲げた状態を保持する保持手段２を備えているので、シート材１の素材に大きく依存せずとも、凸部１２同士が互いに接触した状態を確実に維持することができる。したがって、物品Ｂを挟み込み、或いは配線ＯＡ３を収納しても、間仕切りＭの適正な形状を保持することができ、或いは、図示の間仕切りＭを９０°回転させて、凹凸１１が水平方向に連続する姿勢（すなわち凹部１３による溝が鉛直方向を向く姿勢）で使用することも可能であって、間仕切りＭ全体の使用姿勢にも自由度が得られるものとなる。
【００４１】
特に、この実施形態は、シート材１を保持手段２を介して吊り下げた状態に保持しているので、腰のないシート材１であっても簡易に支持することができ、しかもシート材１の自重を利用して丹精な壁面Ｍ１を形成することができる。
【００４２】
そして、シート材１は前述した如く、鉛直方向に沿って凹凸１１を連続させるものであるので、薄手の物品Ｂを高さ方向に対面する姿勢で間欠的に挟み込む使用態様に適し、かつ横配線に適したものとなる。
【００４３】
また、シート材１を弾性を有する樹脂製のものとして、弾性変形可能な範囲で折り曲げた状態に保持しているので、物品Ｂを挟み込むのに適した弾性と、配線ＯＡ３を収納するのに適した強度とを両立させることができる。
【００４４】
なお、各部の具体的構成は、上述した実施形態のみに限定されるものではない。
【００４５】
例えば、凹凸はシート材の一部にのみ形成されたものであってもよい。
【００４６】
また、前記保持手段２には、一端部から他端部までの距離を可変とする機能を備えておくことも有効である。例えば、支柱１６の上端側にねじ部を形成し、このねじ部に螺合させたナットに吊り板２３を支持させるようにすれば、ナットの螺合位置を調節可能な構造を通じて上記可変機能を有効に実現することができ、間仕切り全体の大きさを調整する目的や、凸部間の距離、凸部同士の接触状態を調整する目的等に、かかる機能を有効利用することができる。
【００４７】
さらに、シート材は、水平方向に沿って凹凸を連続させる態様で用いることもできる。このようにすれば、薄手の物品を幅方向に対面する姿勢で間欠的に挟み込む使用態様に適し、縦配線にも適したものとなる。
【００４８】
また、シート材は、それ自身の保形性によって自立することにより当該シート材の折り曲げた状態を保持するものであってもよい。このようなシート材を用いると、保持手段を用いずとも、凸部同士が互いに接触した状態を確実に維持することができるので、構造の簡素化やコストダウンを有効に追求することができる。
【００４９】
この場合、シート材は水平方向に沿って凹凸を連続させるものであることが特に有効である。自立機能を確保するためには、シート材の凹凸を水平方向に連続させて間仕切りＭの見掛け上の厚みを増し、倒れ難くするとともに、凹凸の形状保持が重力による影響を受け難い状態にしておくことが望ましいからである。特に、このような方向に凹凸が連続していると、一方の壁面の凹凸をピッチが詰まる方向に折り込み、他方の壁面の凹凸は逆に広がりながら、間仕切り全体を平面視円弧状をなすように湾曲させて折り曲げることが容易であり、間仕切り全体の前後方向の出幅を大きくして自立性をより有効に高めることが可能になる。薄手の物品を幅方向に対面する姿勢で間欠的に挟み込む使用態様に適し、縦配線に適している点は上記と同様である。
【００５０】
或いは、シート材に紙製のものを用い、座屈しない範囲で折り曲げた状態に保持して用いることで、より軽量で安価な間仕切りを実現することもできる。
【００５１】
勿論、シート材は布製としても構わない。
【００５２】
さらに、必ずしも凸部同士が接触しない態様であっても、上記に準じた作用効果を得ることができる。
【００５３】
例えば、シート材の少なくとも一部を鉛直方向に沿って凹凸が連続する形状をなすように、かつ隣接する凸部同士が互いに近接するように、折り曲げた状態に保持することとし、そのために鉛直方向に沿って配置されてシート材の折り曲げた状態を保持する保持手段を備え、その状態で凸部間に物品を挟み込めるようにしたものであってもよい。
【００５４】
或いは、シート材の少なくとも一部を水平方向に沿って凹凸が連続する形状をなすように、かつ隣接する凸部同士が互いに近接するように、折り曲げた状態に保持することとし、そのために水平方向に沿って配置されてシート材の折り曲げた状態を保持する保持手段を備え、その状態で凸部間に物品を挟み込めるようにしたものであってもよい。
【００５５】
その他の構成も、本発明の趣旨を逸脱しない範囲で種々変形が可能である。
【図面の簡単な説明】
【００５６】
【図１】本発明の一実施形態に係る間仕切りの斜視図。
【図２】同実施形態に係る間仕切りを示す要部拡大図。
【図３】同実施形態に係る間仕切りの正面図。
【図４】同実施形態に係る間仕切りの平面図。
【図５】同実施形態に係る間仕切りの右側面図。
【図６】同実施形態に係る間仕切りの使用状態を示す斜視図。
【図７】同実施形態に係る間仕切りに配線を引き回した状態を示す三面図。
【図８】同実施形態に係る間仕切りに物品を保持させた状態を示す斜視図。
【図９】同実施形態に係る間仕切りを対面させたデスク間に持ちた際の使用状態を示す斜視図。
【符号の説明】
【００５７】
１…シート材
２…保持手段
１１（１１ａ、１１ｂ）…凹凸
１２（１２ｆ、１２ｒ）…凸部
１４…境界部分（凹凸境界部分）
１８…貫通孔
Ｂ…物品
Ｍ…間仕切り
Ｍ１（Ｍ１ａ、Ｍ１ｂ）…壁面
【図１】
2006037418.tif 000003
【図２】
2006037418.tif 000004
【図３】
2006037418.tif 000005
【図４】
2006037418.tif 000006
【図５】
2006037418.tif 000007
【図６】
2006037418.tif 000008
【図７】
2006037418.tif 000009
【図８】
2006037418.tif 000010
【図９】
2006037418.tif 000011